(57)【要約】【課題】  食品を食べる場合に必要となるスプーンなどの食器を、食品の包装部材に予め収納できる包装部材を提供する。【解決手段】  食材を収納した食品収納部２００と、食品収納部２００の上面１１０及び下面１４０並びに互いに対向する側面１２０，１３０を覆う帯状の平面部材１０５よりなる包装部材１００と、食材摂取用の食器（スプーン）３００とを備え、包装部材１００は、糊代部１４３でリング状に固着されて食品収納部２００に懸回されると共に、両側面端部より延出する延出片１５１，１５２ををそれぞれ内側に折り畳むことにより延出片１５１，１５２と側面部内側との間に食器３００を収納する収納部を形成し、食器３００は収納部に収納され、販売される。【選択図】  図２
2007137439.tif 000002
【特許請求の範囲】
【請求項１】
食品を収納する収納部材を包装可能な包装部材であって、
少なくとも前記収納部材の横幅分の幅を有し、
前記収納部材の底面から一方側面及び底面並びに他方側面に懸回して一部が重ね合わせた糊代部として利用可能な長さを有する帯状長尺片部と、
前記長尺片部の両側面の所定側面部から少なくとも該長尺片部の幅の１／２以上延出する延出片とを有し、
前記延出片は該長尺片部を前記収納部材に懸回して前記糊代部で固着したときに折り曲げ状態の部分を避けて配設され、前記収納部材に懸回される際に収納部材側に折り曲げられ、折り曲げた延出片と前記長尺片部との間に所定物を収納する収納部を形成することを特徴とする包装部材。
【請求項２】
前記延出片は、長尺片部を前記収納部材に懸回して固着したときの前記収納部材の側面部分の長さとほぼ同じ幅であり、側面部分内側と折り曲げられた延出片との間に収納部を形成し、食品を摂取する際の食器を収納することを特徴とする請求項１記載の包装部材。
【請求項３】
食品を収納する収納部材の少なくとも上面と底面を覆うように懸回可能であると共に両端部が重なり合う糊代部を有する帯状部と、前記帯状部の両側面より延出する延出部とを有する十字架状の平面部材から成る包装部材であって、
前記収納部材に懸回した状態時に収納部材の底部または上部と側壁部の境界部分に配設された谷折れ線と、前記谷折れ線間に前記帯状部を横方向に横断するように配設された弓状ミシン目とを有し、
前記延出部は、前記帯状部の谷折れ線間に配設されると共に基部には谷折れ線が設けられ、一辺の長さが帯状部の幅の１／２以上であり、谷折りして帯状部との間に収納ポケットを構成し、
前記収納ポケットに前記収納食品を食するための食器を収納し、前記収納部材に懸回して前記糊代部を固着可能とすることを特徴とする包装部材。
【請求項４】
食材を収納した食品収納部と、
前記食品収納部の上面及び下面並びに互いに対向する側面を覆う帯状の平面部材よりなる包装部材と、
前記包装部材に収納された前記食材摂取用の食器とを備え、
前記包装部材は、糊代部でリング状に固着されて前記食品収納部に懸回されると共に、両側面端部より延出する延出片を備え、前記延出片をそれぞれ前記食品収納部側に折り畳むことにより該延出片と帯状の平面部材との間に前記食器を収納する収納部を形成し、
前記食器は前記収納部に収納され、販売されることを特徴とする販売用食品。
【発明の詳細な説明】
【技術分野】
【０００１】
本発明は、食品を収納する収納部材を包装可能な包装部材に関し、収納食品を食する食器を保持可能な包装部材に関するものである。
【背景技術】
【０００２】
ゼリーやアイスクリーム等の食品は、通常、台形の収納容器に封入して販売される。そして、これらの食品を食べるときには、容器の蓋を剥がし、スプーン等の食器を使用していた。
【０００３】
そして、コンビニエンスストアや観光地の店舗等では、食品の購買者がスプーンを持参していない、あるいは用意できない場合も多々あり、これらの食品を販売するにあたっては、販売者が購買者に使い捨てのスプーンを無料で配布するということが一般に行われている。
【発明の開示】
【発明が解決しようとする課題】
【０００４】
しかしながら、販売者にとっては、商品の販売に合わせて使い捨てのスプーンをその都度渡すのは面倒であり、また、購買者もスプーンをもらい忘れた場合などせっかくの食品を食べれないことも考えられる。
【課題を解決するための手段】
【０００５】
本発明は、上述した課題を解決することを目的としてなされたもので、食品を食べる場合に必要となるスプーンなどの食器を、食品の包装部材に予め収納できる包装部材を提供することを目的とする。
係る目的を達成する一手段として例えば以下の構成を備える。
【０００６】
即ち、食品を収納する収納部材を包装可能な包装部材であって、少なくとも前記収納部材の横幅分の幅を有し、前記収納部材の底面から一方側面及び底面並びに他方側面に懸回して一部が重ね合わせた糊代部として利用可能な長さを有する帯状長尺片部と、前記長尺片部の両側面の所定側面部から少なくとも該長尺片部の幅の１／２以上延出する延出片とを有し、前記延出片は該長尺片部を前記収納部材に懸回して前記糊代部で固着したときに折り曲げ状態の部分を避けて配設され、前記収納部材に懸回される際に収納部材側に折り曲げられ、折り曲げた延出片と前記長尺片部との間に所定物を収納する収納部を形成することを特徴とする。
【０００７】
そして例えば、前記延出片は、長尺片部を前記収納部材に懸回して固着したときの前記収納部材の側面部分の長さとほぼ同じ幅であり、側面部分内側と折り曲げられた延出片との間に収納部を形成し、食品を摂取する際の食器を収納することを特徴とする。
【０００８】
または、食品を収納する収納部材の少なくとも上面と底面を覆いうように懸回可能であると共に両端部が重なり合う糊代部を有する帯状部と、前記帯状部の両側面より延出する延出部とを有する十字架状の平面部材から成る包装部材であって、前記収納部材に懸回した状態時に収納部材の底部または上部と側壁部の境界部分に配設された谷折れ線と、前記谷折れ線間に前記帯状部を横方向に横断するように配設された弓状ミシン目とを有し、前記延出部は、前記帯状部の谷折れ線間に配設されると共に基部には谷折れ線が設けられ、一辺の長さが帯状部の幅の１／２以上であり、谷折りして帯状部との間に収納ポケットを構成し、前記収納ポケットに前記収納食品を食するための食器を収納し、前記収納部材に懸回して前記糊代部を固着可能とすることを特徴とする。
【０００９】
または、食材を収納した食品収納部と、前記食品収納部の上面及び下面並びに互いに対向する側面を覆う帯状の平面部材よりなる包装部材と、前記包装部材に収納された前記食材摂取用の食器とを備え、前記包装部材は、糊代部でリング状に固着されて前記食品収納部に懸回されると共に、両側面端部より延出する延出片を備え、前記延出片をそれぞれ前記食品収納部側に折り畳むことにより該延出片と帯状の平面部材との間に前記食器を収納する収納部を形成し、前記食器は前記収納部に収納され、販売される販売用食品とすることを特徴とする。
【発明の効果】
【００１０】
以上説明したように本発明によれば、食品の包装に、該食品に関連するものを収納して、何ら特別の操作をすることなく食品と一体に販売することができる。
【００１１】
食品に関連するものを、食品を摂取する際に必要な食器とすることにより、特別の操作などを行うことなく確実に食品を摂取することができる。
【発明を実施するための最良の形態】
【００１２】
以下の説明は、本発明をゼリー、チーズ、ムースやプリン等を収納した食品収納部と該食品収納部を懸回する包装部材を一体として販売する販売用食品に適用した場合を例として説明する。以下の説明は、食品収納部を台形容器で、ゼリーを収納した場合について行う。しかし、本発明は以上の例に限定されるものではなく、食品も食品収納部に収納されて販売される食品であれば上記したチーズ、ムース、プリン以外のあらゆる食品に適用可能なことは勿論である。
また、包装容器に職人を食する場合に必要な食器（使い捨てスプーン）を同梱する場合を例として説明するが、食品により異なる食器、例えばフォークであってもよく、食品の説明書などであっても良いことは勿論である。
【００１３】
［第１の実施の形態例］
以下図面を参照して本発明に係る一発明の実施の形態例を説明する。図１は本実施の形態例の包装部材の展開図、図２は図１に示す包装部材により食材を収納する収納容器に懸回した販売形態を説明するための図である。図２においては、食品がゼリー、食品収納容器がゼリーカップである場合を例として説明する。
【００１４】
図１、図２において、１００はゼリーカップ２００を包装する包装部材、２００は食品ゼリーを収納したゼリーカップ、３００はゼリーを食べる際に必要な食器の一例としての使い捨てスプーンである。本実施の形態例では、スプーンは例えばプラスチック製の扁平構造とする。
【００１５】
包装部材１００は、食品を収納する収納部材であるゼリーカップ２００の少なくとも上面と底面を覆うように懸回可能な長さを有する帯状長尺片１０５と、帯状長尺片１０５の両側面より延出する延出部１５１，１５２とを有する十字架状の平面部材から成る。本実施の形態例では紙製とするがこれに限定されるものではなく、プラスチック製であっても、金属箔であっても、布製であってもよく、その材質に限定されない。
【００１６】
帯状長尺片１０５は、上面を形成する上面部１１０、側面を形成する側面部１２０，１３０と、底面の一部を形成する側面部１２０に続く第１底部１４１と、側面部１３０に続く第２底部１４２から成り、第２底部１４２の端面には糊代部１４３が形成されており、第１底部１４１の端部と重ね合わせて貼着される。
【００１７】
上面部１１０と側面部との境界部には谷折れ線１１１，１１２が配設され中央部にはゼリーカップ２００の上部の縁部が入り込むための切欠１１５，１１６が設けられている。
【００１８】
また、側面部１２０と第１底部１４１との境界部には谷折れ線１２１が、側面部１３０と第２底部１４２との境界部には谷折れ線１３１が配設されており、それぞれこの境界部で谷折りが容易なように形成されている。
【００１９】
また、本実施の形態例では、側面部１３０には谷折れ線１１１から両辺間に湾曲して円弧状に形成され、帯状長尺片１００を側面部１３０位置で切断させるためのミシン目（切断補助ミシン目）１３５が設けられている。
【００２０】
そして、ミシン目１３５の中央部分には小円状のミシン目１３６が設けられており、最初のこの円状ミシン目を指で抜き落として円弧状のミシン目を利用して切断する。これにより容易に包装部材を取りはずすことができる。
【００２１】
更に、延出部１５１，１５２は第１の実施の形態例では側面部１３０の側面より外側に延出しており、延出長さはそれぞれ帯状部の幅の１／２以上で、折り畳んだ場合に一部が重なり合うように形成されている。また、折り畳みが容易なように、基部には谷折り線１５３，１５４が形成されている。
【００２２】
更に、本実施の形態例では、折り畳んだ場合に延出部１５１の端部を挟み込んで係止する半円状の切欠１５５が形成されている。このため、いり畳む前にスプーン３００を側面部１３０位置に置き、延出部１５４を折り畳み、更に延出部１５１を折り畳んで端部を切欠１５５に挟み込むことで、平坦な平面状の収納預域が形成されており、スプーンを容易且つ確実に収納することができる。
【００２３】
また、このスプーンを収納する側面部１３０にミシン目１３５，１３６を形成していることから、包装部材１００を外したときにスプーンの存在が確実に認識されると共に、確実に且つ容易に取り出して利用することが可能となる。
【００２４】
図１，２の例では、包装部材１００は直方体状のリング状筒体で、一対の略正方形状の上面１１０と底面１４０と一対の長方形状の側面１２０，１３０から構成される。そして、底面１４０はほぼ中央部で糊代部１４３により貼着されている。
【００２５】
なお、図１の例では、糊代部が底面に位置する例について述べたが、以上の例に限定されるものではなく、底面の一方端部近傍に位置するように構成しても、側面１２０部分に糊代部が位置するように形成しても、あるいは上面部１１０に糊代部が位置するように形成しても良い。その位置に何らの限定もないことは勿論である。
【００２６】
また、上面の１１０端部境界に配設されている切欠１１５，１１６はゼリーカップの位置決め用のものであり、中に収納される食品容器の形状に合わせて切欠を設ければ良く、その位置に限定はない。食品容器の形状によっては、切欠を有さない構造であっても良い。
【００２７】
なお、本実施の形態例では、平たく形成されたスプーンが保護袋に入れられた状態で収納領域に収納される。保護袋は、スプーンを汚れ等から保護するものであるが、図示は省略されている。
【００２８】
以上説明したように本実施の形態例によれば、極めて簡易な構造体でありながら平たく形成されたスプーンやフォーク等の食器を食品収納容器（ゼリーカップ）を包装する包装部材に予め収納させておくことができるため、販売時にいちいちスプーンは粗を配布しなくても確実にこれらの食器を購買者が使用することができる。
【００２９】
しかも、包装容器に特別複雑な構成を備えさせることなく、僅かに延出片を備えるのみで確実に食品を食べるときに必要となる食器を付随させることができる。
【００３０】
特に、延出片１５１，１５２とを帯状長尺片１０５の同じ位置の両側面より延出させているため、スプーン等の食食器の両端部をより一層確実に保持することかできる。
【００３１】
更に延出部１５１，１５２を帯状長尺片１０５の幅の１／２以上の長さとすることにより、部分的に重なるようになるために、スプーン等の食器をより一層確実に保持することができる。
【００３２】
また、本実施の形態例においては、ゼリーカップ２００を取り出すために、帯状長尺片１０５の切断を容易とするミシン目を食器を収納している側面部１３０に配設しているため、帯状長尺片１０５が切断される際に、同時に収納領域の内部が露出されるため、スプーン等の食器を極めて容易に取り出すことができる。
【００３３】
また、中央部のミシン目を小円状に形成したため、この部分を押し空けることにより周辺ミシン目を容易に切り離すことができる。
【００３４】
なお、収納領域には、スプーンの代わりに平たく形成されたフォーク等も収納され得る。ここで、平たく形成されたものとする理由は、その方が食品容器包装部材内に確実に保持されるからである。
【００３５】
食品容器としては、アイスクリームカップや、カップ麺、スープ缶、豆缶など、その材料に限定されす、また形状も台形形状、円筒形状、四角柱形状、楕円柱形状等種々の形状のものが適用可能であるその形状に限定はない。
【００３６】
なお、実際の包装部材の各外側面には、包装する食品の情報（内容、産地、賞味期限、注意事項等が表示される。
【００３７】
なお、収納領域には、食器のみではなく、購買者へ配布する景品や広告用紙等も収納することができる。この際、景品の形状は平面状であることが望ましく、立体的である場合には延出片で収納部が箱状になるように形成する。これにより収納物に限定がなくなる。
【００３８】
［第２の実施の形態例］
以上の説明は延出片１５１，１５２を側面部１３０側面に形成し、側面部内に収納領域を形成した例を説明した。しかし、本発明は以上の例に限定されるものではなく、収納領域の位置は任意の位置に形成できることは勿論である。た。収納領域を底面に設けた本発明に係る第２の実施の形態例を図３を参照して以下に説明する。図３は本発明に係る第２の発明の実施の形態例の包装部材の展開図である。
【００３９】
図３において、基本構成は図１に示す第１の実施の形態例と同様であるため、図１と異なる部分のみを説明する。
【００４０】
図３においては、延出片１５１，１５２が、側面１３０側面端部ではなく、第２の底部１４２の両側面端部より延出している。このことから、食品容器２００と底部１４０内側との間に収納領域が形成される。他の構成は図１と同様である。
【００４１】
以上に説明した第２の実施の形態例によれば、底部に収納領域を形成したため、非常に安定した部位に食器などを収納できる。このため、収納物が平板状であればあるほど安定したものとでき、シール状のもの等は非常に安定的に収納できる。
【００４２】
なお、延出片１５１，１５２は第２底面１４２に設けた例に限定されるものではなく、第１底面１４１に設けても良いことは勿論である。
【００４３】
［第３の実施の形態例］
以上の説明は延出片１５１，１５２を側面部１３０側面または底面１４０に形成した例を説明した。しかし、本発明は以上の例に限定されるものではなく、収納領域の位置は任意の位置に形成できることは勿論である。た。収納領域を上面に設けた本発明に係る第３の実施の形態例を図４を参照して以下に説明する。図４は本発明に係る第３の発明の実施の形態例の包装部材の展開図である。
【００４４】
図４において、基本構成は図１に示す第１の実施の形態例と同様であるため、図１と異なる部分のみを説明する。
【００４５】
図４においては、延出片１５１，１５２が、側面１３０側面端部ではなく、上面部１１０の一方両側面端部より延出している。このことから、食品容器２００と上面１１０内側との間に収納領域が形成される。他の構成は図１と同様である。
【００４６】
以上に説明した第３の実施の形態例によれば、状部に収納領域を形成したため、ずれることなく安定した部位に食器などを収納できる。このため、収納物が平板状であれば安定したものとできる。
【００４７】
なお、延出部１５１，１５２の形成部は、側面部１２０近傍ではなく、側面部１３０近傍であっても良く、また上面部１１０の中央部に形成しても良い。その位置に限定はない。
【００４８】
以上説明したように本実施の各形態例によれば、極めて簡易な構造体でありながら、包装される食品容器に収納された食材を摂取するために必要なスプーンやフォーク等の食器を収納領域に確実且つ容易に収納させておくことができるため、これらの食器を食品に対して容易且つ確実に付随させることができる。
【図面の簡単な説明】
【００４９】
【図１】本発明に係る一発明の実施の形態例の食品容器を包装する包装部材の展開図である。
【図２】図１に示す包装部材により食材を収納する収納容器に懸回した販売形態を説明するための図である。
【００５０】
【図３】本発明に係る第２の発明の実施の形態例の包装部材の展開図である。
【図４】本発明に係る第３の実施の形態例の包装部材の展開図である。
【符号の説明】
【００５１】
１００    包装部材
１０５    帯状長尺片
１１０    上面部
１１１，１１２，１２１，１５３，１５４    谷折れ線
１１５，１１６    切欠
１２０，１３０    側面部
１３５    ミシン目（切断補助ミシン目）
１３６    小円状ミシン目
１４１    第１底部
１４２    第２底部１４２
１４３    糊代部
１５１，１５２    延出部
２００    食品容器であるゼリーカップ
３００    食器（スプーン）
１５１，１５２    延出部
【図１】
2007137439.tif 000003
【図２】
2007137439.tif 000004
【図３】
2007137439.tif 000005
【図４】
2007137439.tif 000006